(57)【要約】【課題】複数の機能モードに対応する複数の指標を効率良く表示して多彩な機能表現を実現可能とする多機能時計を提供する。【解決手段】回転可能に構成され、複数の機能モードに対応した複数の指標が記載された回転板１０と、該回転板１０の上面に配置され、複数の指標に対応し、回転板１０の回転中心からの距離が異なる３個の窓３ａ、３ｂ、３ｃが開口されている文字板３と、を有し、窓の少なくとも２つは、回転板１０の回転中心に対して対角に配置された構成とした。【選択図】図１
2014102189.tif 000002
【特許請求の範囲】
【請求項１】
回転可能に構成され、回転位置が複数の機能モードに対応し、
該機能モード毎に、回転中心から異なる距離に複数の指標が対応して記載された回転板と、
該回転板の上面に配置され、前記各機能モードに対応する回転位置にて、
前記各機能モードに対応する前記複数の指標が視認可能な窓が開口されている文字板と、を有することを特徴とする多機能時計。
【請求項２】
前記窓は、前記文字板上に複数開口されている
ことを特徴とする請求項１に記載の多機能時計。
【請求項３】
前記窓が、前記文字板の回転中心に対し、異なる角度領域に配置されることを特徴とする請求項２に記載の多機能時計。
【請求項４】
前記機能モード毎の複数の指標のうち、少なくとも２つは前記回転板の回転中心に対して、対角に記載されることを特徴とする請求項３に記載の多機能時計。
【請求項５】
前記回転板の径方向には、同じ前記機能モードに対応する指標が配置され、
前記窓が、前記文字板の回転中心に対し、同じ角度領域に配置される
ことを特徴とする請求項１ないし２のいずれか１つに記載の多機能時計。
【請求項６】
前記窓のうちの１つは、複数の前記指標に対し開口している
ことを特徴とする請求項５に記載の多機能時計。
【請求項７】
前記窓が前記文字板の周回方向で連続して配置されている
ことを特徴とする請求項３に記載の多機能時計。
【請求項８】
前記周回方向で連続して配置される複数の窓で、同一カテゴリーの指標が表示されることを特徴とする請求項７に記載の多機能時計。
【発明の詳細な説明】
【技術分野】
【０００１】
本発明は、多機能時計の機能表示の改善に関する。
【背景技術】
【０００２】
従来、時刻表示の機能に加えて、指針を用いて機能表示を行う多機能時計では、各モードの機能で使用する様々な指標を文字板上に記載する必要がある。しかし、限られたスペースしかない文字板では、多くの指標が煩雑になって視認性が低下し、機能が増えるに連れて、使い難くなるという問題がある。
【０００３】
上記問題を解決すべく、特許文献１では、複数機能に対応したモード名と指標を記載した円板と、指標に対応した窓を開口した文字板を有し、各モードごとに異なる指標とモード名を表示する多機能時計が提案されている。
【先行技術文献】
【特許文献】
【０００４】
【特許文献１】特開２０１１−２７６１８号公報（４頁、図１）
【発明の概要】
【発明が解決しようとする課題】
【０００５】
しかしながら、特許文献１の技術では、複数のモードの切換表示は可能であるが、文字板に設けた窓のほとんどが文字板の外周付近にだけ位置しているので、指標のバリエーションが乏しく、複数の指標の表示が限定されて、特に指標の階層表示が出来ないので、多彩な機能表現を実現できない課題がある。
【０００６】
本発明の目的は上記課題を解決し、複数の機能モードに対応する複数の指標を効率良く表示して多彩な機能表現を実現可能とする多機能時計を提供することである。
【課題を解決するための手段】
【０００７】
上記課題を解決するために、本発明の多機能時計は、下記記載の構成を採用する。
【０００８】
本発明の多機能時計は、回転可能に構成され、回転位置が複数の機能モードに対応し、該機能モード毎に、回転中心から異なる距離に複数の指標が対応して記載された回転板と、
該回転板の上面に配置され、前記各機能モードに対応する回転位置にて、
前記各機能モードに対応する前記複数の指標が視認可能な窓が開口されている文字板と、を有することを特徴とする。
【発明の効果】
【０００９】
上記の如く本発明によれば、回転可能に構成され、複数の機能モードに対応する複数のカテゴリーに対応した指標を複数有する回転板と、この回転板の上面に配置され、複数の指標に対応し、回転板の回転中心からの距離が異なる３個以上の窓が開口されている文字板とを備えているので、スペースが限られている文字板を有効に活用して複数の機能モードに対応する複数のカテゴリーを効率良く表示でき、視認性に優れ、カテゴリーの階層表示か可能であり、多彩な機能表現を実現可能とする多機能時計を提供することができる。
【図面の簡単な説明】
【００１０】
【図１】本発明の第１の実施形態の多機能時計のデイモードの一例を示す正面図である。
【図２】本発明の第１の実施形態の多機能時計の回転板の一例を示す正面図である。
【図３】本発明の第１の実施形態の多機能時計のカレンダモードの一例を示す正面図である。
【図４】本発明の第１の実施形態の多機能時計のエコモードとミニッツリピータモードの一例を示す正面図である。
【図５】本発明の第１の実施形態の多機能時計の構成の一例を示すブロック図である。
【図６】本発明の第２の実施形態の多機能時計の回転板の一例を示す正面図である。
【図７】本発明の第２の実施形態の多機能時計の電波受信確認モードの一例を示す正面図である。
【図８】本発明の第２の実施形態の多機能時計のカレンダモードと時刻モードの一例を示す正面図である。
【図９】本発明の第３の実施形態の多機能時計の回転板の一例を示す正面図である。
【図１０】本発明の第３の実施形態の多機能時計のカレンダモードの一例を示す正面図である。
【図１１】本発明の第３の実施形態の多機能時計の電波受信確認モードと時刻モードの一例を示す正面図である。
【図１２】本発明の第３の実施形態の多機能時計の変形例１と変形例２を示す正面図である。
【図１３】本発明の第４の実施形態の多機能時計の回転板の一例を示す正面図である。
【図１４】本発明の第４の実施形態の多機能時計の高度計モードの一例を示す正面図である。
【図１５】本発明の第４の実施形態の多機能時計の電波受信確認モードとカレンダモードの一例を示す正面図である。
【図１６】本発明の第４の実施形態の多機能時計の変形例を示す正面図である。
【発明を実施するための形態】
【００１１】
以下図面により本発明の実施の形態を詳述する。
［各実施形態の特徴］
第１の実施形態の特徴は、本発明の基本的な構成例であり、異なるカテゴリーの指標が回転板の回転中心に対して対角に配置されたレトログラード表示を実現する多機能時計である。第２の実施形態の特徴は、回転板の径方向に異なる機能モードに対応する指標が配置され、文字板の窓が各カテゴリー毎に文字板の回転中心に対し、異なる角度領域に配置される多機能時計である。第３の実施形態の特徴は、回転板の径方向に同じ機能モードに対応する指標が配置され、文字板の窓が各カテゴリーとも、文字板の回転中心に対し、同じ角度領域に配置される多機能時計である。第４の実施形態の特徴は、文字板の窓が周回方向で連続して配置され、この連続した窓によって同一カテゴリーの指標が表示される多機能時計である。
【実施例１】
【００１２】
［第１の実施形態の多機能時計の概略説明：図１］
第１の実施形態の多機能時計を図１を用いて説明する。図１において、符号１は第１の実施形態の多機能時計である。多機能時計１は、金属等によって成る外装２、文字板３、時刻を表示する秒針４ａ、分針４ｂ、時針４ｃ、時刻の修正や後述する回転板の操作を行うリューズ５、使用者の腕に装着するためのバンド６などを有している。ここで、秒針４ａ、分針４ｂ、時針４ｃは、図示しないステップモータと輪列機構によって、文字板３の回転中心３ｘを基準にして回転し、時刻を表示する。なお、秒針４ａ、分針４ｂ、時針４ｃをまとめて指針４と称する。
【００１３】
また、文字板３の下面には、回転可能に構成された円形の回転板１０（後述する図２参
照）が配置され、回転板１０の回転中心１０ｘ（図２参照）と文字板の回転中心３ｘは、厚み方向から見た位置が一致している。すなわち、文字板３は、回転板１０の上面に配置される。文字板３には、回転板１０の回転中心１０ｘからの距離が異なる３つの窓３ａ、３ｂ、３ｃが開口しており、この窓３ａ、３ｂ、３ｃによって回転板１０上の指標を表示することが出来る。
【００１４】
窓３ａは、回転板１０上に配置された機能モードの名称を表示するものであり、一例として、文字板３の回転中心３ｘに近い９時方向に配置される。また、窓３ｂは、機能モードの名称に対応するカテゴリーの指標を表示する窓であり、一例として、円弧形状であって、文字板３の４時〜５時付近に配置され、回転板１０上に配置されたカテゴリーの指標を表示する。窓３ｃは、機能モードに対応する他のカテゴリーの指標を表示する窓であり、一例として、窓３ｂより小さな円弧形状であって、文字板３の１０時〜１１時付近に配置され、回転板１０上に配置された他のカテゴリーの指標を表示する。
【００１５】
このように、３つの窓３ａ、３ｂ、３ｃは、回転板１０に記載されている複数の指標に対応して文字板３の回転中心３ｘに対し、異なる角度領域に配置されている。また、２つの窓３ｂと窓３ｃは、文字板３の回転中心３ｘ（または回転板１０の回転中心１０ｘ）に対して対角に配置されている。また、窓３ａ、３ｂ、３ｃの文字板３の回転中心３ｘ（または回転板１０の回転中心１０ｘ）からの距離は、窓３ａが最も近く、窓３ｃが最も離れている。なお、文字板３に開口する窓は３個に限定されず、表示する指標に応じて３個以上設けてよい。また、窓３ｂ、３ｃは円弧形状であるが、窓の形状は限定されない。
【００１６】
また、窓３ｂと窓３ｃから見える位置に、それぞれの指標を指し示す小針７ａ、７ｂが配置されている。小針７ａ、７ｂは、ここでは図示しないが、それぞれステップモータによって駆動され、窓３ｂと窓３ｃから見える回転板１０上の指標を指し示すことができる。すなわち、小針７ａ、７ｂは、厚み方向で文字板３と回転板１０の間に配置され、その先端部分が、窓３ｂと窓３ｃから見えるのである。
【００１７】
［第１の実施形態のデイモードの表示説明：図１］
次に、第１の実施形態の多機能時計のデイモードの表示例を図１を用いて説明する。図１において多機能時計１は、機能モードとしてデイモードの表示例を示しており、窓３ａは、多機能時計１の機能モードがデイモードであるので、名称“ＤＡＹ”を表示している。また、窓３ｂは、デイモードに対応するカテゴリーとして月齢を表示しており、一例として、小針７ａによって月齢が満月であることを表示している。また、窓３ｃは、デイモードに対応するカテゴリーとして曜日を表示しており、一例として、小針７ｂによって曜日がＷ（水曜）であることを表示している。
【００１８】
このように、第１の実施形態の多機能時計によれば、３個の窓３ａ、３ｂ、３ｃが開口されている文字板３を有し、この文字板３の下面に回転板１０を配置することで、複数の機能モードに対応する複数のカテゴリーに対応した指標を文字板３のスペースを有効に活用して効率よく表示することができる。また、円弧形状の窓３ｂ、３ｃによって、図１の例では、複数のカテゴリーである月齢表示と曜日表示を同時に表示でき、カテゴリーの階層表示か可能である。また、この２つの窓３ｂ、３ｃは、文字板３の回転中心３ｘに対して対角に配置されているので、表示される２つの指標の対応関係が分かりやすい利点がある。
【００１９】
［第１の実施形態の回転板の指標配置例の説明：図２］
次に、第１の実施形態の多機能時計に使用される回転板の指標配置例を図２を用いて説明する。図２において、回転板１０は薄い円板状であり、前述した文字板３（図１参照）の下面に配置され、回転中心１０ｘを基準として、リューズ５（図１参照）の操作によっ
て、図示しない手段により回転する構成である。
【００２０】
回転板１０の表面には、一例として４つの機能モードの名称に対応する複数のカテゴリーに対応した複数の指標が記載されている。４つの機能モードは、一例として、デイモード、カレンダモード、エコモード、ミニッツリピータモードである。デイモードは、“ＤＡＹ”を表示する名称１１ａと、デイモードに対応するカテゴリーの月齢の指標１１ｂと、デイモードに対応する他のカテゴリーの曜日の指標１１ｃを有している。
【００２１】
この月齢の指標１１ｂは、月の満ち欠けを表しており、一例として、絵とマークで新月から満月まで、満月から次の新月までの月の満ち欠けを表している。なお、指標１１ｂの両端にある小さな三角形のマークは、新月と次の新月の位置を示している。また、曜日の指標１１ｃは、日曜から土曜までの一週間を表しており、一例として、曜日の英語読みの頭文字７つ“ＳＭＴＷＴＦＳ”で表している。
【００２２】
またカレンダモードは、“ＣＡＬ”を表示する名称１２ａと、カレンダモードに対応するカテゴリーの月の指標１２ｂと、カレンダモードに対応する他のカテゴリーの経年（閏年からの経過年）の指標１２ｃを有している。
【００２３】
この月の指標１２ｂは、１月から１２月までの１年間を文字とマークによって表しており、一例として、月の英語読みの省略形を１ヶ月おきに図示するように表している。また、経年の指標１２ｃは、閏年からの経過年を数字と文字によって表しており、一例として、“１”、“２”、“３”、“Ｌ／Ｙ“で表している。なお、“Ｌ／Ｙ”は閏年（ＬＥＡＰ  ＹＥＡＲ）の省略形である。
【００２４】
またエコモードは、“ＥＣＯ”を表示する名称１３ａと、エコモードに対応するカテゴリーの日パワーリザーブの指標１３ｂと、エコモードに対応する他のカテゴリーの年パワーリザーブの指標１３ｃを有している。
【００２５】
この日パワーリザーブの指標１３ｂは、当日の充電量を日数で表示しており、一例として“−２”〜“０”〜“＋３”の数字で表しており、たとえば、“＋２”は当日に約２日分の充電がされたことを示し、また、“−１”は当日に充電がされずに、約１日分の電気が消費されたことを示している。また、年パワーリザーブの指標１３ｃは、時計の動作可能時間を年数で表示しており、一例として“０”〜“３”の数字で表しており、たとえば、“０”は充電量として時計の動作可能時間が１年以下であることを示し、また、“３”は充電量として時計の動作可能時間が約３年分以上蓄えられていることを示している。
【００２６】
またミニッツリピータモードは、“ＲＰＴ”を表示する名称１４ａと、ミニッツリピータモードに対応するカテゴリーのミニッツリピータ文字の指標１４ｂと、ミニッツリピータモードに対応する他のカテゴリーの音階ゲージの指標１４ｃを有している。
【００２７】
このミニッツリピータ文字の指標１４ｂは、一例として、文字“Ｍｉｎｕｔｅｓ  Ｒｅｐｅａｔｅｒ”で表している。また、このミニッツリピータモードにおいて、時の単位と１５分の単位と１分の単位のそれぞれ異なる音階で時刻を表現する場合を例とすると、音階ゲージの指標１４ｃは、ト音記号と、時の音階である高音階の音符記号、１５分の音階である高音階と低音階の音符記号、１分の音階である低音階の音符記号で表している。
【００２８】
このように複数の指標が配置された回転板１０が回転して、“ＤＡＹ”を表示する名称１１ａが文字板３の窓３ａ（図１参照）で表示される位置に停止したとき、月齢の指標１１ｂが文字板３の窓３ｂで表示され、曜日の指標１１ｃが文字板３の窓３ｃで表示されるように、月齢の指標１１ｂと曜日の指標１１ｃは、各窓に対応して回転板１０上に配置さ
れる。
【００２９】
また、回転板１０が矢印Ａ方向に回転して、“ＣＡＬ”を表示する名称１２ａが文字板３の窓３ａ（図１参照）で表示される位置に停止したとき、月の指標１２ｂが文字板３の窓３ｂで表示され、経年（閏年からの経過年）の指標１２ｃが文字板３の窓３ｃで表示されるように、月の指標１２ｂと経年の指標１２ｃは、各窓に対応して回転板１０上に配置される。
【００３０】
さらに、回転板１０が矢印Ａ方向に回転して、“ＥＣＯ”を表示する名称１３ａが文字板３の窓３ａ（図１参照）で表示される位置に停止したとき、日パワーリザーブの指標１３ｂが文字板３の窓３ｂで表示され、年パワーリザーブの指標１３ｃが文字板３の窓３ｃで表示されるように、日パワーリザーブの指標１３ｂと年パワーリザーブの指標１３ｃは、各窓に対応して回転板１０上に配置される。
【００３１】
さらに、回転板１０が矢印Ａ方向に回転して、“ＲＰＴ”を表示する名称１４ａが文字板３の窓３ａ（図１参照）で表示される位置に停止したとき、ミニッツリピータ文字の指標１４ｂが文字板３の窓３ｂで表示され、音階ゲージの指標１４ｃが文字板３の窓３ｃで表示されるように、ミニッツリピータ文字の指標１４ｂと音階ゲージの指標１４ｃは、各窓に対応して回転板１０上に配置される。
【００３２】
ここで、各指標が弧を描くように、回転板１０に記載されているのは、これらの指標を表示する窓３ｂ、窓３ｃが円弧形状であることに対応しており、スペースを有効に活用できるレトログラード表示を行うためである。
【００３３】
また前述したように、文字板３の窓３ｂと窓３ｃは、回転板１０の回転中心１０ｘに対して対角に配置されているので、回転板１０上の各機能モードに対応する複数のカテゴリーに対応した指標は、窓３ｂと窓３ｃの配置に合わせて、回転板１０の回転中心１０ｘに対して対角に配置されている。たとえば、デイモードに対応するカテゴリーの月齢の指標１１ｂと、デイモードに対応する他のカテゴリーの曜日の指標１１ｃは、回転板１０の回転中心１０ｘに対して対角に配置されている。
【００３４】
また、回転板１０が回転することによって機能モードが切り替わり、各機能モードに対応する複数のカテゴリーも切り替わるので、回転板１０上の各機能モードに対応するカテゴリーの指標は、回転板１０の回転中心１０ｘに対し、異なる角度領域に配置される。たとえば、デイモードに対応するカテゴリーの月齢の指標１１ｂと、カレンダモードに対応するカテゴリーの月の指標１２ｂは、回転板１０の回転中心１０ｘに対し、９０度異なる角度領域に配置されている。これは、窓３ｂがデイモードでは月齢の指標１１ｂを表示し、カレンダモードでは月の指標１２ｂを表示するためである。
【００３５】
また、前述したように、文字板３の窓３ａ、窓３ｂ、窓３ｃは、回転板１０の回転中心１０ｘからの距離が異なるように開口されているので、窓３ａによって表示される機能モードの名称１１ａ、１２ａ、１３ａ、１４ａと、窓３ｂによって表示されるカテゴリーに対応した指標１１ｂ、１２ｂ、１３ｂ、１４ｂと、窓３ｃによって表示されるカテゴリーに対応した指標１１ｃ、１２ｃ、１３ｃ、１４ｃとは、回転板１０の回転中心１０ｘからの距離が異なる位置に配置される。
【００３６】
たとえば、デイモードの“ＤＡＹ”を表示する名称１１ａと、デイモードに対応するカテゴリーの月齢の指標１１ｂと、デイモードに対応する他のカテゴリーの曜日の指標１１ｃとは、回転板１０の回転中心１０ｘからの距離が異なる位置に配置されている。すなわち、“ＤＡＹ”名称１１ａが回転中心１０ｘに最も近く、曜日の指標１１ｃが回転中心１
０ｘから最も離れた位置に配置されている。
【００３７】
［第１の実施形態のカレンダモードの表示説明：図３］
次に、第１の実施形態の多機能時計のカレンダモードの表示例を図３を用いて説明する。図３は第１の実施形態の多機能時計１のカレンダモードの表示例を示しており、図３において、多機能時計１の外装２、文字板３、窓３ａ、３ｂ、３ｃ、指針４、リューズ５などは、図１のデイモードの表示例と同様であるので説明は省略する。
【００３８】
ここで、多機能時計１は、図１に示すデイモードからリューズ５を操作して回転板１０を９０度右回転させると（図２の矢印Ａ方向）、図３に示すカレンダモードに切り替わる。すなわち、多機能時計１は回転板１０を回転させることで、後述する制御手段によって機能モードを切り替えることができる。このカレンダモードにおいて、窓３ａは、多機能時計１の機能モードがカレンダモードに切り替えられたので、名称１２ａ“ＣＡＬ”を表示している。
【００３９】
また、窓３ｂは、カレンダモードに対応するカテゴリーとして月の指標１２ｂを表示しており、一例として小針７ａによって、月がＪＵＬ（７月）であることを表示している。また、窓３ｃは、カレンダモードに対応するカテゴリーとして経年の指標１２ｃを表示しており、一例として小針７ｂによって、経年が２年であることを表示している。
【００４０】
このように、第１の実施形態の多機能時計１が機能モードとしてカレンダモードであるとき、窓３ａによってカレンダモードの名称の表示と、対角に配置された窓３ｂと窓３ｃによって、そのカレンダモードに対応した複数のカテゴリーの月表示と経年表示を分かりやすく表示することができる。
【００４１】
なお、第１の実施形態の多機能時計１は、指針４が常に時刻を表示しているが、このカレンダモードと前述したデイモードでは、外装２の横に設けられる図示しないプッシュボタンを使用者が押下することで、秒針４ａが秒針目盛りを使って日付を所定の時間だけ表示するとよい。たとえば、７日であれば、使用者がプッシュボタンを押下すると、秒針４ａが秒針目盛りの７秒（図示せず）の位置に移動し、所定の時間静止して日付の７日を表示し、その後再び秒針４ａが移動して現在の秒を表示する。この動作によって使用者はいつでも日付を確認することができる。
【００４２】
［第１の実施形態のエコモードの表示説明：図４（ａ）］
次に、第１の実施形態の多機能時計のエコモードの表示例を図４（ａ）を用いて説明する。図４（ａ）は第１の実施形態の多機能時計１のエコモードの表示例を示しており、図４（ａ）において、多機能時計１の外装２、文字板３、窓３ａ、３ｂ、３ｃ、指針４、リューズ５などは、図１のデイモードの表示例と同様であるので説明は省略する。また、図４（ａ）、図４（ｂ）では、バンド６の図示は省略している。
【００４３】
ここで、図３に示すカレンダモードから、リューズ５を操作して回転板１０を９０度右回転させると（図２の矢印Ａ方向）、図４（ａ）に示すエコモードに切り換えることができる。このエコモードにおいて、窓３ａは、多機能時計１の機能モードがエコモードに切り替えられたので、名称１３ａ“ＥＣＯ”を表示している。
【００４４】
また、窓３ｂは、エコモードに対応するカテゴリーとして指標１３ｂの日パワーリザーブを表示しており、一例として小針７ａによって“＋１”、すなわち、当日に約１日分の充電がなされたことを表示している。また、窓３ｃは、エコモードに対応するカテゴリーとして指標１３ｃの年パワーリザーブを表示しており、一例として小針７ｂによって“１”、すなわち、充電量として時計の動作可能時間が約１年分以上蓄えられていることを表
示している。
【００４５】
このように、第１の実施形態の多機能時計１が機能モードとしてエコモードであるとき、窓３ａによってエコモードの名称１３ａの表示と、対角に配置された窓３ｂと窓３ｃによって、エコモードに対応したカテゴリーの指標１３ｂの日パワーリザーブ表示と、指標１３ｃの年パワーリザーブ表示とを、分かりやすく表示することができる。
【００４６】
［第１の実施形態のミニッツリピータモードの表示説明：図４（ｂ）］
次に、第１の実施形態の多機能時計のミニッツリピータモードの表示例を図４（ｂ）を用いて説明する。なお、ミニッツリピータモードは、現在時刻を音の数で知らせる機能を言う。図４（ｂ）は第１の実施形態の多機能時計１のミニッツリピータモードの表示例を示しており、図４（ｂ）において、多機能時計１の外装２、文字板３、窓３ａ、３ｂ、３ｃ、指針４、リューズ５などは、図１のデイモードの表示例と同様であるので説明は省略する。
【００４７】
ここで、図４（ａ）に示すエコモードから、リューズ５を操作して回転板１０を９０度右回転させると（図２の矢印Ａ方向）、図４（ｂ）に示すミニッツリピータモードに切り換えることができる。このミニッツリピータモードにおいて、窓３ａは、多機能時計１の機能モードがミニッツリピータモードに切り替えられたので、名称１４ａ“ＲＰＴ”を表示している。
【００４８】
また、窓３ｂは、ミニッツリピータモードに対応するカテゴリーとして指標１４ｂのミニッツリピータ文字を表示しており、この場合、一例として小針７ａは、窓３ｂから隠れた位置に置かれている。また、窓３ｃは、ミニッツリピータモードに対応したカテゴリーの音階ゲージの指標１４ｃを表示しており、一例として小針７ｂによって、時の音階である高音階に合わせて、高音階の音符記号を示している。
【００４９】
このミニッツリピータモードは、外装２の側面に配置される図示しないプッシュボタンを使用者が押すことで、ミニッツリピータ機能が動作し、時の単位、１５分の単位、１分の単位の順で、図示しない発音体から鐘の音が発せられる。このとき、窓３ｃから見える小針７ｂが、時の単位の音が発せられているときは、指標１４ｃの中で時の音階である高音階の音符記号を指し、１５分の単位の音が発せられているときは、１５分の音階である高音階と低音階の音符記号を指し、１分の単位の音が発せられているときは、１分の音階である低音階の音符記号を指すと、使用者に分かりやすい。
【００５０】
このように、第１の実施形態の多機能時計１が機能モードとしてミニッツリピータモードであるとき、窓３ａによってミニッツリピータモードの名称１４ａの表示と、対角に配置された窓３ｂと窓３ｃによって、ミニッツリピータモードに対応したカテゴリーの指標１４ｂのミニッツリピータ文字表示と、指標１４ｃの音階ゲージとを表示して、ミニッツリピータモードの動作を使用者に分かりやすく示すことができる。
【００５１】
［第１の実施形態の多機能時計のシステム構成の説明：図５］
次に、第１の実施形態の多機能時計のシステム構成の一例を図５のブロック図を用いて説明する。図５において、第１の実施形態の多機能時計１は、多機能時計１の全体の動作を制御する制御手段としてのワンチップのマイクロコンピュータ２０（以下、マイコン２０と略す）、指針４を回転制御する第１ステップモータ３１、小針７ａを回転制御する第２ステップモータ３２、小針７ｂを回転制御する第３ステップモータ３３、基準信号源である水晶振動子３４、回転板１０の回転を検出する回転センサ３５などによって構成されている。
【００５２】
第１ステップモータ３１は、秒針、分針、時針によってなる指針４を図示しない輪列を介して回転駆動させて時刻を表示する。また、第２ステップモータ３２は、窓３ｂから露出する小針７ａを回転させて、前述したように、回転板１０に配置されるカテゴリーに対応する指標を指して、月齢や月などを表示する。また、第３ステップモータ３３は、窓３ｃから露出する小針７ｂを回転させて、前述したように、回転板１０に配置されるカテゴリーに対応する指標を指して、曜日や経年などを表示する。
【００５３】
マイコン２０は、演算機能備えた制御部２１、水晶振動子３４に接続して基準信号を発振し、計時信号Ｐ１を出力する計時回路２２、制御部２１に対して作業用のメモリ空間を提供するＲＡＭ（Ｒａｎｄｏｍ  Ａｃｃｅｓｓ  Ｍｅｍｏｒｙ）２３、制御プログラム等を格納するＲＯＭ（Ｒｅａｄ  Ｏｎｌｙ  Ｍｅｍｏｒｙ）２４、第１〜第３ステップモータ３１〜３３をそれぞれ駆動する駆動回路２５、２６、２７などによって構成される。
【００５４】
また、回転板１０は、前述したように、リューズ５を使用者が操作することで、図示しない機械的な回転手段によって矢印Ａの方向に回転可能である。なお、回転板１０の回転方向は限定されない。また、回転センサ３５は、回転板１０の回転を検出し、回転信号Ｐ２をマイコン２０の制御部２１に出力する。ここで、回転センサ３５は、機械的な接点バネなどで構成してもよく、または磁気センサなどで構成してもよい。また、回転板１０の回転手段は、リューズ５の操作による機械的な手段ではなく、ステップモータなどによる電気的な回転手段でもよい。
【００５５】
なお、実際の多機能時計１には、電源となる電池、エコモードに対応するためのソーラーセル、ミニッツリピータ機能をスタートさせるためのプッシュボタン、及び、発音体などが必要であるが、これらは本発明に直接係わらないので、図示は省略する。
【００５６】
［第１の実施形態の多機能時計の動作説明：図５］
次に、第１の実施形態の多機能時計１の動作の概略を図５を用いて説明する。図５において、マイコン２０は、計時回路２２によって水晶振動子３４を発振させ、たとえば、１秒信号である計時信号Ｐ１を制御部２１に出力する。制御部２１は、ＲＯＭ２４に記憶している制御ブログラムによって動作し、計時信号Ｐ１を入力して、時刻の秒、分、時、曜日、月、年等を取得して、時刻データとしてＲＡＭ２３に記憶する。
【００５７】
また、制御部２１は、ＲＡＭ２３に記憶している時刻データを周期的に参照し、駆動回路２５を制御して第１パルスモータ３１を駆動し、指針４によって現在の時刻を表示する。
【００５８】
また、制御部２１は、回転センサ３５からの回転信号Ｐ２を常に監視し、回転板１０の回転位置が、４つの機能モードのいずれかであるか、すなわち、デイモード、カレンダモード、エコモード、ミニッツリピータモードのいずれかであるかを検出して、現在の機能モードをＲＡＭ２３に記憶している。
【００５９】
ここで、マイコン２０が、回転板１０の回転位置から機能モードが、たとえば、デイモード（図１参照）であると検出したならば、窓３ｂに表示されているカテゴリーが月齢であり、月齢の指標１１ｂが表示されているので、駆動回路２６を制御して第２ステップモータ３２を駆動し、現在の月齢の位置に小針７ａを移動させて月齢表示を行う。
【００６０】
また、マイコン２０は、窓３ｃに表示されているカテゴリーが曜日であり、曜日の指標１１ｃが表示されているので、駆動回路２７を制御して第３ステップモータ３３を駆動し、現在の曜日の位置に小針７ｂを移動させて曜日表示を行う。
【００６１】
ここで、使用者（図示せず）が、リューズ５を操作して回転板１０をカレンダモード（図３参照）に切り換えたとする。すると、マイコン２０の制御部２１は、前述したように、回転センサ３５からの回転信号Ｐ２を常に監視しているので、回転板１０がカレンダモードに切り換えられたことを瞬時に判断することができる。
【００６２】
これにより、マイコン２０は、窓３ｂに表示されているカテゴリーが月であり、月の指標１２ｂが表示されているので、駆動回路２６を制御して第２ステップモータ３２を駆動し、現在の月の位置に小針７ａを移動させて月表示を行う。また同様にマイコンは、窓３ｃに表示されているカテゴリーが経年であり、経年の指標１２ｃが表示されているので、駆動回路２７を制御して第３ステップモータ３３を駆動し、現在の経年の位置に小針７ｂを移動させて経年表示を行う。
【００６３】
以下同様に、マイコン２０は、回転板１０の回転位置を常に監視し、回転板１０の回転位置に応じた機能モードに切り換えて、第２ステップモータ３２と第３ステップモータ３３を駆動させ、現在の機能モードに対応した動作を行う。なお、リューズ５の操作によって回転板１０が回転するが、その回転に不具合が生じて回転板１０の回転位置がずれた場合には、マイコン２０がその回転ずれを検出し、小針７ａ、７ｂを窓３ｂ、３ｃから見えなくする、または秒針４ａを変則運針（２秒運針など）させる、またはアラーム音を出す、またはこれらの複合動作を行うなどを実施して使用者に不具合を伝えて、誤認識を防ぐ手段をとることもできる。
【００６４】
以上のように、第１の実施形態の多機能時計によれば、複数の機能モードに対応する複数のカテゴリーに対応した指標を複数有する回転板１０を、リューズ５によって回転させることで、多機能時計に備えられている複数の機能モードを瞬時に切り換えることができる。そして、文字板３に配置した３つの窓３ａ、３ｂ、３ｃによって、機能モードの名称表示と共に、選択された機能モードに対応する複数の異なるカテゴリーに対応した指標を表示し、さらに小針７ａ、７ｂによって、各カテゴリーに対応した指標を指し示して表示することができる。
【００６５】
このように、機能モードが簡単に切り替えられると共に、文字板３の３つの窓によって複数のカテゴリーを表示できるので、月齢表示と曜日表示、月表示と経年表示というように、カテゴリーの階層表示が可能であり、多彩な機能表現を実現可能とする多機能時計を提供することができる。また、３つの窓によって複数のカテゴリーに対応した指標を切り換えて表示できるので、文字板３の限られたスペースを有効に活用でき、各窓から表示する指標の文字やマークのサイズを十分大きくすることが可能であり、視認性に優れた見やすい多機能時計を提供できる。
【００６６】
また、異なるカテゴリーの指標を対角に配置された２つの窓３ｂ、３ｃによって表示するので、使用者にとって対角に表示される指標の対応関係が分かりやすく、機能モードが切り替わっても、切り替わった指標を瞬時に理解しやすい利点がある。また、窓の領域以外の文字板３のスペースを広く確保できるので、文字板のデザインやロゴのために多くのスペースを活用でき、多様なデザインを備えた多機能時計を提供できる。さらに、第１の実施形態の多機能時計は、複数のカテゴリーを表示する２つの窓３ｂ、３ｃと小針７ａ、７ｂによって、レトログラード表示を実現しているので、デザイン性に優れた多機能時計を提供できる。
【００６７】
なお、第１の実施形態の多機能時計の４つの機能モードは、デイモード、カレンダモード、エコモード、ミニッツリピータモードとして説明したが、機能モードはこれらに限定されず、たとえば、ローカルタイム表示モード等、仕様に応じて任意の機能モードを選択してよい。
【実施例２】
【００６８】
［第２の実施形態の多機能時計の回転板の説明：図６］
次に、第２の実施形態の多機能時計に用いられる回転板の概略を図６を用いて説明する。なお、第２の実施形態の多機能時計は、標準電波を受信して時刻修正を行う電波時計であることを前提とする。図６において、符号４０は第２の実施形態の多機能時計に用いられる回転板である。回転板４０は回転中心４０ｘを基準として、リューズ５（図１参照）の操作によって、図示しない手段により回転する構成である。回転板４０の表面には、異なる３つの機能モードに対応する複数のカテゴリーに対応した複数の指標が記載されている。
【００６９】
３つの機能モードは、一例として、時刻モード、カレンダモード、電波受信確認モードである。ここで、時刻モードに対応するカテゴリーとして、後述する文字板のデザインと一体化する指標４１ａ、４１ｂ、４１ｃが、回転板４０の回転中心４０ｘに対し、異なる角度領域に配置されている。
【００７０】
また、カレンダモードに対応するカテゴリーとして、日の指標４２ａ、月の指標４２ｂ、経年の指標４２ｃが、回転板４０の回転中心４０ｘに対し、異なる角度領域に配置されている。ここで、日の指標４２ａは、１日から３１日までの１ヶ月を１日ごとの目盛線によって表している。なお、日の指標４２ａは概略図であって、目盛線は正確ではない。また、月の指標４２ｂは、１月から１２月までの１年間を文字によって表しており、一例として、月の英語読みの省略形を１ヶ月おきに図示するように表している。また、経年の指標４２ｃは、閏年からの経過年を数字と文字によって表しており、一例として、“１”、“２”、“３”、“Ｌ／Ｙ“で表している。
【００７１】
また、電波受信確認モードに対応するカテゴリーとして、時差設定の指標４３ａ、受信局の指標４３ｂ、受信結果の指標４３ｃが、回転板４０の回転中心４０ｘに対し、異なる角度領域に配置されている。ここで、時差設定の指標４３ａは、グリニッジ標準時に対する時差を−１２時間から＋１２時間まで表している。また、受信局の指標４３ｂは、受信した受信局を示すものであり、一例として、日本（ＪＰＮ）、アメリカ（ＵＳＡ）、ヨーロッパ（ＥＵＲ）、中国（ＣＨＮ）の４地域を配置している。また、受信結果の指標４３ｃは、一例として、電波受信が成功したときの電波の強さ表示（“Ｈ”、“Ｍ”、“Ｌ”）、受信失敗表示“ＮＯ”、受信中表示“ＲＸ”を配置している。
【００７２】
このように、第２の実施形態の回転板４０は、回転板４０の径方向に異なる機能モードに対応するカテゴリーが配置されると共に、回転板４０の回転中心４０ｘに対し、異なる角度領域に各機能モードに対応するカテゴリーが配置されている。
【００７３】
［第２の実施形態の多機能時計の説明：図７］
次に、第２の実施形態の多機能時計を図７を用いて説明する。図７において、符号５０は、第２の実施形態の多機能時計である。多機能時計５０は、第１の実施形態の多機能時計１と同様に、外装２、リューズ５、バンド６などを有しているが、説明が重複するので図示は省略し、文字板５１と秒針４ａ、分針４ｂ、時針４ｃのみを図示している。なお、以降の第３および第４の実施形態においても、説明が重複するので外装２、リューズ５、バンド６などの図示は省略している。
【００７４】
文字板５１の下面には、前述した回転板４０（図６参照）が回転可能に配置されており、文字板５１には、３つのカテゴリーを表示するための３つの窓５１ａ、５１ｂ、５１ｃが開口している。この３つの窓５１ａ、５１ｂ、５１ｃは、文字板５１の回転中心５１ｘからの距離が異なる位置に配置され、また、文字板５１の回転中心５１ｘに対し、異なる
角度領域に配置されている。
【００７５】
すなわち、窓５１ａは回転中心５１ｘから最も遠い位置に配置され、窓５１ｃは回転中心５１ｘから最も近い位置に配置され、窓５１ｂはその中間の位置に配置される。また、窓５１ａ、５１ｂ、５１ｃの周回方向の中心は、それぞれ約１２０度ずれており、回転中心５１ｘに対し、異なる角度領域に配置されている。
【００７６】
［第２の実施形態の多機能時計の電波受信確認モードの表示説明：図７］
次に、第２の実施形態の多機能時計の電波受信確認モードの表示例を図７を用いて説明する。図７は第２の実施形態の多機能時計５０が、電波受信確認モードである表示例を示しており、窓５１ａは、電波受信確認モードに対応するカテゴリーとして、時差設定の指標４３ａを表示しており、秒針４ａによって、時差が＋９時間であることを示している。
【００７７】
また、窓５１ｂは、電波受信確認モードに対応するカテゴリーとして、受信局の指標４３ｂを表示しており、分針４ｂによって、受信局が日本（ＪＰＮ）であることを示している。また、窓５１ｃは、電波受信確認モードに対応するカテゴリーとして、受信結果の指標４３ｃを表示しており、時針４ｃによって、受信が成功し電波が強い状態（Ｈ）であることを示している。
【００７８】
このように、第２の実施形態の多機能時計５０が機能モードとして電波受信確認モードであるとき、窓５１ａによって時差設定を表示し、窓５１ｂによって受信局を表示し、窓５１ｃによって受信結果を表示するので、スペースが限られた文字板５１を有効に活用して、電波受信確認モードを分かりやすく表示することができる。
【００７９】
［第２の実施形態の多機能時計のカレンダモードの表示説明：図８（ａ）］
次に、第２の実施形態の多機能時計のカレンダモードの表示例を図８（ａ）を用いて説明する。図８（ａ）は第２の実施形態の多機能時計５０が、カレンダモードである表示例を示しており、窓５１ａは、カレンダモードに対応するカテゴリーとして、日の指標４２ａを表示しており、秒針４ａによって、所定の日付を示している。
【００８０】
また、窓５１ｂは、カレンダモードに対応するカテゴリーとして、月の指標４２ｂを表示しており、分針４ｂによって、月がＪＵＬ（７月）とＳＥＰ（９月）の間の８月であることを示している。また、窓５１ｃは、カレンダモードに対応するカテゴリーとして、経年の指標４２ｃを表示しており、時針４ｃによって、経年がＬＹ（閏年）であることを示している。
【００８１】
［第２の実施形態の多機能時計の時刻モードの表示説明：図８（ｂ）］
次に、第２の実施形態の多機能時計の時刻モードの表示例を図８（ｂ）を用いて説明する。図８（ｂ）は第２の実施形態の多機能時計５０が、秒針４ａ、分針４ｂ、時針４ｃによって時刻を表示する時刻モードである表示例を示しており、窓５１ａには指標４１ａが表示され、窓５１ｂに指標４１ｂが表示され、窓５１ｃに指標４１ｃが表示されている。
【００８２】
ここで、指標４１ａ、４１ｂ、４１ｃは、前述したように、文字板５１のデザインと一体化するデザインであり、文字板５１が白の無地であれば、指標４１ａ、４１ｂ、４１ｃも白の無地がデザインされるとよい。これによって、時刻モードにおいては、文字板５１の窓５１ａ、５１ｂ、５１ｃが目立たず、秒針４ａ、分針４ｂ、時針４ｃによる時刻表示を見やすくすることができる。
【００８３】
以上のように、第２の実施形態の多機能時計５０は、回転板４０の径方向に異なる機能モードに対応するカテゴリーが配置されると共に、回転板４０の回転中心４０ｘに対し、
異なる角度領域に各機能モードに対応するカテゴリーが配置されている。また、複数のカテゴリーを表示する３つの窓５１ａ、５１ｂ、５１ｃは、文字板５１の回転中心５１ｘからの距離が異なる位置に配置され、また、文字板５１の回転中心５１ｘに対し、異なる角度領域に配置されている。
【００８４】
これにより、３つの機能モードに対応する３つのカテゴリーの指標をスペースが限られた文字板５１を有効に活用して見やすく配置できるので、視認性に優れた使いやすい多機能時計を提供することができる。また、第２の実施形態の多機能時計５０は、時刻を表示する秒針４ａ、分針４ｂ、時針４ｃを併用して各カテゴリーの指標を指し示す構成であるので、第１の実施形態の多機能時計１に必要であった小針７ａ、７ｂが不要であり、時計機構を簡略化できる利点を備えている。
【００８５】
また、第２の実施形態の多機能時計５０のシステム構成は、前述した第１の実施形態の多機能時計１のシステム構成（図５参照）と大差がなく、違いは、３つのパルスモータ３１、３２、３３が、それぞれ秒針４ａ、分針４ｂ、時針４ｃを駆動する専用モータとして構成され、また、標準電波受信部が追加されるだけであり、これらの構成の違いは本発明に直接係わらないので、第２の実施形態のシステム構成の説明は省略する。
【００８６】
なお、第２の実施形態の多機能時計の３つの機能モードは、時刻モード、カレンダモード、電波受信確認モードとして説明したが、機能モードはこれらに限定されず、仕様に応じて任意の機能モードを選択してよい。また、機能モードの数も３つに限定されず、たとえば、回転板４０の指標を周回方向に約９０度ごとに分割して、４つの機能モードを選択できるようにしてもよい。
【実施例３】
【００８７】
［第３の実施形態の多機能時計の回転板の説明：図９］
次に第３の実施形態の多機能時計に用いられる回転板の概略を図９を用いて説明する。なお、第３の実施形態の多機能時計は、標準電波を受信して時刻修正を行う電波時計であることを前提とする。図９において、符号６０は第３の実施形態の多機能時計に用いられる回転板である。回転板６０は回転中心６０ｘを基準として、リューズ５（図１参照）の操作によって、図示しない手段により回転する構成である。回転板６０の表面には、異なる３つの機能モードに対応する複数のカテゴリーに対応した複数の指標が記載されている。
【００８８】
３つの機能モードは、一例として、時刻モード、カレンダモード、電波受信確認モードであり、同じ機能モードに対応する指標が回転板６０の径方向にまとめて配置される。すなわち、時刻モードに対応するカテゴリーとして、後述する文字板のデザインと一体化する指標６１ａ、６１ｂ、６１ｃが、回転板６０の径方向にまとめて配置されている。
【００８９】
また、カレンダモードに対応するカテゴリーとして、日の指標６２ａ、月の指標６２ｂ、経年の指標６２ｃが、回転板６０の径方向にまとめて配置されている。ここで、日の指標６２ａは、１日から３１日までの１ヶ月を１日ごとの目盛線によって表している。なお、日の指標６２ａは概略図であって、目盛線は正確ではない。また、月の指標６２ｂは、１月から１２月までの１年間を文字によって表しており、一例として、月の英語読みの省略形を１ヶ月おきに図示するように表している。また、経年の指標６２ｃは、閏年からの経過年を数字と文字によって表しており、一例として、“１”、“２”、“３”、“Ｌ／Ｙ“で表している。
【００９０】
また、電波受信確認モードに対応するカテゴリーとして、時差設定の指標６３ａ、受信局の指標６３ｂ、受信結果の指標６３ｃが、回転板６０の径方向にまとめて配置されてい
る。ここで、時差設定の指標６３ａは、グリニッジ標準時に対する時差を−１２時間から＋１２時間まで表している。また、受信局の指標６３ｂは、受信した受信局を示すものであり、一例として、日本（ＪＰＮ）、アメリカ（ＵＳＡ）、ヨーロッパ（ＥＵＲ）、中国（ＣＨＮ）の４地域を配置している。また、受信結果の指標６３ｃは、一例として、電波受信が成功したときの電波の強さ表示（“Ｈ”、“Ｍ”、“Ｌ”）、受信失敗表示“ＮＯ”、受信中表示“ＲＸ”を配置している。
【００９１】
このように、第３の実施形態の回転板６０は、回転板６０の径方向に同じ機能モードに対応する複数のカテゴリーの指標がまとめて配置されていることが特徴である。
【００９２】
［第３の実施形態の多機能時計の説明：図１０］
次に、第３の実施形態の多機能時計を図１０を用いて説明する。図１０において、符号７０は、第３の実施形態の多機能時計である。多機能時計７０は、第１の実施形態の多機能時計１と同様に、外装２、リューズ５、バンド６などを有しているが、説明が重複するので、文字板７１と秒針４ａ、分針４ｂ、時針４ｃのみを図示している。
【００９３】
文字板７１の下面には、前述した回転板６０（図９参照）が回転可能に配置されており、文字板７１には、３つのカテゴリーを表示するための３つの窓７１ａ、７１ｂ、７１ｃが開口している。この３つの窓７１ａ、７１ｂ、７１ｃは、文字板７１の回転中心７１ｘに対し、同じ角度領域に配置されている。すなわち、３つの窓７１ａ、７１ｂ、７１ｃは、文字板７１の所定の角度領域に図示するようにまとめて配置されており、径方向で一番外側に窓７１ａが配置され、その内側に窓７１ｂが配置され、その内側に窓７１ｃが配置される。
【００９４】
［第３の実施形態の多機能時計のカレンダモードの表示説明：図１０］
次に、第３の実施形態の多機能時計のカレンダモードの表示例を図１０を用いて説明する。図１０は第３の実施形態の多機能時計７０が、カレンダモードである表示例を示しており、窓７１ａは、カレンダモードに対応するカテゴリーとして、日の指標６２ａを表示しており、秒針４ａによって所定の日付を示している。
【００９５】
また、窓７１ｂは、カレンダモードに対応するカテゴリーとして、月の指標６２ｂを表示しており、分針４ｂによって、月がＪＵＬ（７月）とＳＥＰ（９月）の間の８月であることを示している。また、窓７１ｃは、カレンダモードに対応するカテゴリーとして、経年の指標６２ｃを表示しており、時針４ｃによって、経年がＬＹ（閏年）であることを示している。
【００９６】
［第３の実施形態の多機能時計の電波受信確認モードの表示説明：図１１（ａ）］
次に、第３の実施形態の多機能時計の電波受信確認モードの表示例を図１１（ａ）を用いて説明する。図１１（ａ）は第３の実施形態の多機能時計７０が、電波受信確認モードである表示例を示しており、窓７１ａは、電波受信確認モードに対応するカテゴリーとして、時差設定の指標６３ａを表示しており、秒針４ａによって、時差が＋９時間であることを示している。
【００９７】
また、窓７１ｂは、電波受信確認モードに対応するカテゴリーとして、受信局の指標６３ｂを表示しており、分針４ｂによって、受信局が日本（ＪＰＮ）であることを示している。また、窓７１ｃは、電波受信確認モードに対応するカテゴリーとして、受信結果の指標６３ｃを表示しており、時針４ｃによって、受信が成功し電波が強い状態（Ｈ）であることを示している。
【００９８】
［第３の実施形態の多機能時計の時刻モードの表示説明：図１１（ｂ）］
次に、第３の実施形態の多機能時計の時刻モードの表示例を図１１（ｂ）を用いて説明する。図１１（ｂ）は第３の実施形態の多機能時計７０が、秒針４ａ、分針４ｂ、時針４ｃによって時刻を表示する時刻モードである表示例を示しており、窓７１ａには指標６１ａが表示され、窓７１ｂに指標６１ｂが表示され、窓７１ｃに指標６１ｃが表示されている。
【００９９】
ここで、指標６１ａ、６１ｂ、６１ｃは、前述したように、文字板７１のデザインと一体化するデザインであり、文字板７１が白の無地であれば、指標６１ａ、６１ｂ、６１ｃも白の無地がデザインされるとよい。これによって、時刻モードにおいては、文字板７１の窓７１ａ、７１ｂ、７１ｃが目立たず、秒針４ａ、分針４ｂ、時針４ｃによる時刻表示を見やすくすることができる。また、文字板７１には様々なデザインを配置してよく、一例として図示はしないが、１２時、３時、６時、９時などの正時の位置にマークを入れて時刻を読みやすくするとよい。
【０１００】
以上のように、第３の実施形態の多機能時計７０は、回転板６０の径方向に同じ機能モードに対応する複数のカテゴリーの指標がまとめて配置され、文字板７１の窓７１ａ、７１ｂ、７１ｃは、機能モードに対応する各カテゴリーを表示するために、文字板の回転中心に対し、同じ角度領域にまとめて配置されている。
【０１０１】
これにより、各カテゴリーを表示するための３つの窓を文字板上の所定の角度領域にまとめて配置できるので、文字板のスペースの大部分を様々なデザインやロゴのために使用することが可能となり、文字板のデザインの自由度がアップして、多彩なデザインに対応可能な多機能時計を実現できる。また、第３の実施形態の多機能時計７０は、時刻を表示する秒針４ａ、分針４ｂ、時針４ｃを併用して各カテゴリーの指標を指し示す構成であるので、第１の実施形態の多機能時計１に必要であった小針７ａ、７ｂが不要であり、時計機構を簡略化できる利点を備えている。
【０１０２】
［第３の実施形態の多機能時計の変形例１の説明：図１２（ａ）］
次に、第３の実施形態の多機能時計の変形例１を図１２（ａ）を用いて説明する。図１２（ａ）は第３の実施形態の多機能時計７０の変形例１を示し、機能モードがカレンダモードである表示例を示している。この変形例１の特徴は、文字板７１に１つの窓７１ｄのみが開口していることである。
【０１０３】
この窓７１ｄは、前述した第３の実施形態の多機能時計７０の文字板７１の窓７１ａ、７１ｂ、７１ｃの３つを結合して１つの窓としたものである。すなわち、窓７１ｄは、３つのカテゴリーの指標に対して開口しており、多機能時計７０がカレンダモードであるならば、図示するように１つの窓７１ｄによって、３つのカテゴリーの日の指標６２ａと月の指標６２ｂと経年の指標６２ｃを表示することができる。
【０１０４】
ここで、文字板７１の窓７１ｄを１つに構成できる理由は、第３の実施形態の回転板６０（図９参照）が径方向に同じ機能モードに対応する複数のカテゴリーの指標をまとめて配置しているからである。このように、文字板７１の窓７１ｄを１つに構成することで、文字板７１の製造が簡略化できると共に、文字板のデザインの自由度をさらにアップさせることが可能となる。
【０１０５】
［第３の実施形態の多機能時計の変形例２の説明：図１２（ｂ）］
次に、第３の実施形態の多機能時計の変形例２を図１２（ｂ）を用いて説明する。図１２（ｂ）は第３の実施形態の多機能時計７０の変形例２を示し、機能モードがカレンダモードである表示例を示している。この変形例２の特徴は、文字板７１の手前に配置されている時針７３に開口部７３ａが備えられていることである。
【０１０６】
ここで、第３の実施形態の多機能時計７０は、時刻を表示する秒針、分針、時針を併用して各カテゴリーの指標を指し示す構成であるが、たとえば、時刻モードのときの時針７３を見やすくするために時針７３の長さを長めに設定すると、カレンダモードのときの窓７１ｄから見える経年の指標６２ｃが、時針７３と重なって見えにくいという問題がある。
【０１０７】
このため、この変形例２では、時針７３と経年の指標６２ｃが重なる時針７３の位置に開口部７３ａを設け、この開口部７３ａを通して経年の指標６２ｃが見えるように改良している。また、この時針７３の先端部で、たとえば、月の指標６２ｂを指し示し、この時針７３の開口部７３ａで、他のカテゴリーである経年の指標６２ｃを示すなど、開口部７３ａを設けることで、１つの時針７３で複数のカテゴリーを示すことも可能である。
【０１０８】
なお、第３の実施形態の多機能時計７０のシステム構成は変形例も含めて、前述した第１の実施形態の多機能時計１のシステム構成（図５参照）と大差がなく、違いは３つのパルスモータ３１、３２、３３が、それぞれ秒針４ａ、分針４ｂ、時針４ｃ（時針７３）を駆動する専用モータとして構成され、また、標準電波受信部が追加されるだけであり、これらの構成の違いは本発明に直接係わらないので、第３の実施形態のシステム構成の説明は省略する。
【実施例４】
【０１０９】
［第４の実施形態の多機能時計の回転板の説明：図１３］
次に第４の実施形態の多機能時計に用いられる回転板の概略を図１３を用いて説明する。なお、第４の実施形態の多機能時計は、標準電波を受信して時刻修正を行う電波時計であり、また、高度を測定する高度計を備えていることを前提とする。図１３において、回転板８０は回転中心８０ｘを基準として、リューズ５（図１参照）の操作によって、図示しない手段により回転する構成である。
【０１１０】
回転板８０の表面には、３つの機能モードに対応する複数のカテゴリーに対応した複数の指標が配置されている。３つの機能モードは、一例として、高度計モード、電波受信確認モード、カレンダモードである。高度計モードに対応するカテゴリーとしては、高度指標８１ａ、８１ｂ、８１ｃによる３つの連続した指標が、回転板８０の周回方向で連続して配置されている。ここで一例として、この高度指標８１ａ、８１ｂ、８１ｃには、１０、２０、３０〜９０までの数字が記載されているが、この数字の単位は１００ｍである。
【０１１１】
従って、高度１，０００ｍ、２，０００ｍ、３，０００ｍ〜９，０００ｍの指標である。すなわち詳細には、高度指標８１ａは０〜３，２００ｍまでの高度を表示し、高度指標８１ｂは３、２００〜６，４００ｍまでの高度を表示し、高度指標８１ｃは６，４００〜９，４００ｍまでの高度を同一カテゴリーとして表示している。
【０１１２】
また、電波受信確認モードに対応するカテゴリーとしては、受信結果の指標８２ａ、受信局の指標８２ｂ、時差設定の指標８２ｃが、回転板８０の周回方向で連続して配置されている。また、カレンダモードに対応するカテゴリーとしては、経年の指標８３ａ、月の指標８３ｂ、日の指標８３ｃが、回転板８０の周回方向で連続して配置されている。なお、電波受信確認モードとカレンダモードの指標の詳細は、前述の第３の実施形態の指標例と同様であるので、説明は省略する。
【０１１３】
このように、第４の実施形態の回転板８０は、機能モードに対応する同一カテゴリー、または異なる複数のカテゴリーの指標が、回転板８０の周回方向で連続して配置されていることが特徴である。
【０１１４】
［第４の実施形態の多機能時計の説明：図１４］
次に、第４の実施形態の多機能時計を図１４を用いて説明する。図１４において、符号９０は、第４の実施形態の多機能時計である。多機能時計９０は、第１の実施形態の多機能時計１と同様に、外装２、リューズ５、バンド６などを有しているが、説明が重複するので、文字板９１、秒針４ａ、分針４ｂ、時針４ｃ、及び、長針９２のみを示している。
【０１１５】
文字板９１の下面には、前述した回転板８０（図１３参照）が回転可能に配置されており、文字板９１には、機能モードごとのカテゴリーを表示するための３つの窓９１ａ、９１ｂ、９１ｃが開口している。この３つの窓９１ａ、９１ｂ、９１ｃは、文字板９１の回転中心９１ｘからの距離がそれぞれ異なると共に、文字板９１の周回方向で連続して配置されている。
【０１１６】
［第４の実施形態の多機能時計の高度計モードの表示説明：図１４］
次に、第４の実施形態の多機能時計の高度計モードの表示例を図１４を用いて説明する。図１４は第４の実施形態の多機能時計９０が、高度計モードである表示例を示しており、窓９１ａは、高度計モードに対応するカテゴリーとして、低高度の高度指標８１ａを表示しており、窓９１ｂは、同じく高度計モードに対応するカテゴリーとして、中高度の高度指標８１ｂを表示しており、窓９１ｃは、同じく高度計モードに対応するカテゴリーとして、高高度の高度指標８１ｃを表示している。
【０１１７】
この構成により、３つの窓９１ａ、９１ｂ、９１ｃは、同一カテゴリーの高度指標８１ａ、８１ｂ、８１ｃによって、高度を０〜９，０００ｍ以上まで連続して広範囲に表示できる。この高度計モードにおいては、第４の指針である長針９２が高度指標８１ａ、８１ｂ、８１ｃの間を移動して高度を指し示し、秒針４ａ、分針４ｂ、時針４ｃが時刻を表示している。すなわち、第４の実施形態の多機能時計９０は指針が４本あり、高度計モードでは、指針４によって時刻を表示すると共に、長針９２によって高度を表示するのである。
【０１１８】
［第４の実施形態の多機能時計の電波受信確認モードの表示説明：図１５（ａ）］
次に、第４の実施形態の多機能時計の電波受信確認モードの表示例を図１５（ａ）を用いて説明する。図１５（ａ）は第４の実施形態の多機能時計９０が、電波受信確認モードである表示例を示しており、文字板９１の窓９１ａは電波受信確認モードに対応するカテゴリーとして、受信結果の指標８２ａを表示しており、時針４ｃによって、受信が成功し電波が強い状態（Ｈ）であることを示している。
【０１１９】
また、窓９１ｂは電波受信確認モードに対応するカテゴリーとして、受信局の指標８２ｂを表示しており、分針４ｂによって、受信局が日本（ＪＰＮ）であることを示している。また、窓９１ｃは電波受信確認モードに対応するカテゴリーとして、時差設定の指標８２ｃを表示しており、秒針４ａによって、時差が＋９時間であることを示している。また、長針９２は、機能モードが電波受信確認モード（ＲＣ）であることを示している。
【０１２０】
［第４の実施形態の多機能時計のカレンダモードの表示説明：図１５（ｂ）］
次に、第４の実施形態の多機能時計のカレンダモードの表示例を図１５（ｂ）を用いて説明する。図１５（ｂ）は第４の実施形態の多機能時計９０が、カレンダモードである表示例を示しており、文字板９１の窓９１ａはカレンダモードに対応するカテゴリーとして、経年の指標８３ａを表示しており、時針４ｃによって、経年がＬＹ（閏年）であることを示している。
【０１２１】
また、窓９１ｂはカレンダモードに対応するカテゴリーとして、月の指標８３ｂを表示
しており、分針４ｂによって、月がＪＵＬ（７月）とＳＥＰ（９月）の間の８月であることを示している。また、窓９１ｃはカレンダモードに対応するカテゴリーとして、日の指標８３ｃを表示しており、秒針４ａによって、所定の日付を示している。また、長針９２は、機能モードがカレンダモード（ＣＡＬ）であることを示している。
【０１２２】
以上のように、第４の実施形態の多機能時計９０は、３つの窓９１ａ、９１ｂ、９１ｃが文字板９１の周回方向で連続して配置されることで、機能モードに対応するカテゴリーを連続的に表示することができる。特に、機能モードが高度計モードのように、広範囲なインジケータが必要である場合、連続した３つの窓９１ａ、９１ｂ、９１ｃは、同一カテゴリーである高度計の指標を連続して広範囲に表示することができる。
【０１２３】
すなわち、周回方向で連続している３つの窓９１ａ、９１ｂ、９１ｃは、広範囲な高度インジケータとして機能することが可能であり、高度情報を詳細に読み取ることができる多機能時計を実現できる。なお、第４の実施形態の広範囲なインジケータは、当然であるが高度計に限定されず、深度計など様々な用途に適応できる。
【０１２４】
また、回転板８０を回転させて、機能モードを高度計モードから他の機能モードに切り換えることで、３つの窓９１ａ、９１ｂ、９１ｃは、図１５（ａ）、（ｂ）に示すように、異なるカテゴリーを表示することができる。このように、第４の実施形態の多機能時計９０は、同一カテゴリーである連続した広範囲なインジケータと、異なる複数のカテゴリーの表示とを、機能モードの切り換えによって使い分けできるという優れた特徴を有している。
【０１２５】
なお、第４の実施形態の多機能時計９０のシステム構成は、前述した第１の実施形態の多機能時計１のシステム構成（図５参照）と大差がなく、違いは長針９２用のパルスモータが追加され、また、高度計と標準電波受信部が追加されるだけであり、これらの構成の違いは本発明に直接係わらないので、第４の実施形態のシステム構成の説明は省略する。
【０１２６】
［第４の実施形態の多機能時計の変形例の説明：図１６］
次に、第４の実施形態の多機能時計の変形例を図１６を用いて説明する。図１６は第４の実施形態の多機能時計９０の変形例の特徴とする部分のみ示している。図１６において、多機能時計９０の変形例は、文字板９１の回転中心９１ｘの周囲に第４の窓９１ｄが開口している。この第４の窓９１ｄは、扇状に広がった形状であり、１２時方向に２辺からなる凸部９１ｅを有している。
【０１２７】
文字板９１の下面には回転板８０´が配置され、この回転板８０´の表面の窓９１ｄから見える位置に、図示するように、機能モードの３つの名称“ＣＡＬ”、“ＴＩＭＥ“、”ＲＣ“が約１２０度の角度で周回方向に配置されている。
【０１２８】
ここで、図１６では、指標“ＴＩＭＥ”が１２時方向に位置しており、窓９１ｄの凸部９１ｅによって名称“ＴＩＭＥ”を指し示すことで、多機能時計９０の機能モードが時刻表示モードの“ＴＩＭＥ”であることを表示することができる。また、回転板８０´が図１６の図面上左に約１２０度回転するならば、図示しないが、窓９１ｄの凸部９１ｅの位置に名称“ＣＡＬ”が位置して、多機能時計９０の機能モードがカレンダモードの“ＣＡＬ”であることを表示することができる。
【０１２９】
また同等に、回転板８０´が図１６の図面上右に約１２０度回転するならば、図示しないが、窓９１ｄの凸部９１ｅの位置に名称“ＲＣ”が来て、多機能時計９０の機能モードが電波受信確認モードの“ＲＣ”であることを表示することができる。
【０１３０】
このように、第４の実施形態の多機能時計の変形例によるならば、文字板９１に第４の窓９１ｄを設けることによって、この窓９１ｄの形状で機能モードの名称を指し示すことができ、使用者が現在の機能モードを認識しやすい多機能時計を提供することができる。また、窓９１ｄの形状で機能モードの名称を指し示すことで、第４の指針である長針９２（図１５参照）を不要にすることも可能である。
【０１３１】
なお、本発明の各実施形態で示した時計の正面図や構成図等は、これに限定されるものではなく、本発明の要旨を満たすものであれば、任意に変更することができる。
【産業上の利用可能性】
【０１３２】
本発明の多機能時計は、複数の機能モードに対応する指標を限られたスペースの文字板を用いて有効に活用して表示できるので、多種多様な機能を盛り込んだ高機能の時計や各種の表示装置等に幅広く利用することができる。
【符号の説明】
【０１３３】
１、５０、７０、９０  多機能時計
２  外装
３、５１、７１、７５、９１  文字板
３ａ、３ｂ、３ｃ、５１ａ、５１ｂ、５１ｃ、７１ａ、７１ｂ、７１ｃ、７１ｄ、９１ａ、９１ｂ、９１ｃ、９１ｄ  窓
３ｘ、５１ｘ、７１ｘ、９１ｘ  文字板の回転中心
４  指針
４ａ  秒針
４ｂ  分針
４ｃ、７３  時針
５  リューズ
６  バンド
７ａ、７ｂ  小針
１０、４０、６０、８０、８０´  回転板
１０ｘ、４０ｘ、６０ｘ、８０ｘ  回転板の回転中心
１１ａ、１２ａ、１３ａ、１４ａ  名称
１１ｂ  月齢の指標
１１ｃ  曜日の指標
１２ｂ、４２ｂ、６２ｂ、８３ｂ  月の指標
１２ｃ、４２ｃ、６２ｃ、８３ａ  経年の指標
１３ｂ  日パワーリザーブの指標
１３ｃ  年パワーリザーブの指標
１４ｂ  ミニッツリピータ文字の指標
１４ｃ  音階ゲージの指標
２０  マイコン（マイクロコンピュータ）
２１  制御部
２２  計時回路
２３  ＲＡＭ
２４  ＲＯＭ
２５、２６、２７  駆動回路
３１、３２、３３  パルスモータ
３４  水晶振動子
３５  回転センサ
４１ａ、４１ｂ、４１ｃ、６１ａ、６１ｂ、６１ｃ  指標
４２ａ、６２ａ、８３ｃ  日の指標
４３ａ、６３ａ、８２ｃ  時差設定の指標
４３ｂ、６３ｂ、８２ｂ  受信局の指標
４３ｃ、６３ｃ、８２ａ  受信結果の指標
７３ａ  開口部
８１ａ、８１ｂ、８１ｃ  高度指標
９１ｅ  凸部
９２  長針
Ｐ１  計時信号
Ｐ２  回転信号
【図１】
2014102189.tif 000003
【図２】
2014102189.tif 000004
【図３】
2014102189.tif 000005
【図４】
2014102189.tif 000006
【図５】
2014102189.tif 000007
【図６】
2014102189.tif 000008
【図７】
2014102189.tif 000009
【図８】
2014102189.tif 000010
【図９】
2014102189.tif 000011
【図１０】
2014102189.tif 000012
【図１１】
2014102189.tif 000013
【図１２】
2014102189.tif 000014
【図１３】
2014102189.tif 000015
【図１４】
2014102189.tif 000016
【図１５】
2014102189.tif 000017
【図１６】
2014102189.tif 000018